(57)【要約】【課題】アレイアンテナ通信システム及びその方法を提供することを課題とする。【解決手段】本発明は、移動通信設備で生成された位置信号を受信することによって、対応の位相方向通信信号を伝達する通信システムを開示する。該システムは、アレイアンテナモジュールとビームフォーミング回路とを含み、前記アレイアンテナモジュールが複数のアレイ状に並べたアンテナユニットを包括し、該ビームフォーミング回路が複数の位置信号、複数の位相制御信号を受信すると共に複数の出力信号を伝達するために用いられ、該位置信号で生成された対応の制御信号を受信することによって、該アレイアンテナモジュールの対応のアンテナユニットを制御して、該アンテナユニットを対応の位相位置に移動させ、また複数の出力信号を伝達することで、通信信号の品質向上の目的を達成する。【選択図】図１
2019016901.tif 000002
【特許請求の範囲】
【請求項１】
移動通信設備で生成された位置信号を受信することによって、対応の位相方向の通信信号を伝達するアレイアンテナ通信システムであって、
複数のアレイ状に並べたアンテナユニットを包括するアレイアンテナモジュールと、
複数の位置信号、複数の位相制御信号を受信すると共に複数の出力信号を伝達するために用いられ、前記位置信号で生成された対応の制御信号を受信することによって、前記アレイアンテナモジュールの対応のアンテナユニットを制御して、前記アンテナユニットを対応の位相位置に移動させ、また複数の出力信号を伝達することで、通信信号の品質向上の目的を達成するビームフォーミング回路と、を含むことを特徴とするアレイアンテナ通信システム。
【請求項２】
前記移動通信設備は、スマートフォン、コンピュータ、タブレットコンピュータ及びＧＰＳのうちのいずれか１つを包括することを特徴とする請求項１に記載のアレイアンテナ通信システム。
【請求項３】
前記アレイアンテナモジュールは、回転制御ユニットと回転ユニットとをさらに含むことを特徴とする請求項１に記載のアレイアンテナ通信システム。
【請求項４】
前記ビームフォーミング回路は、信号生成ユニットと処理ユニットと制御ユニットと信号受信ユニットとを含むことを特徴とする請求項１に記載のアレイアンテナ通信システム。
【請求項５】
前記処理ユニットは、コンピュータ、単一チップ及び組込み式システムのうちのいずれか１つであることを特徴とする請求項４に記載のアレイアンテナ通信システム。
【請求項６】
移動通信設備で生成された位置信号を受信することによって、対応の位相方向の通信信号を伝達するアレイアンテナ通信システムの制御方法であって、
ビームフォーミング回路を用意し、前記位置信号を受信することによって対応の制御信号を生成するステップと、
アレイアンテナモジュールを用意し、前記制御信号を受信して前記アンテナユニットを制御して対応の位相位置に移動させ、前記ビームフォーミング回路で出力信号を生成し、前記アレイアンテナモジュールを通じて前記出力信号を伝達することで、通信信号の品質向上の目的を達成するステップと、を含むことを特徴とするアレイアンテナ通信システムの制御方法。
【請求項７】
前記移動通信設備は、スマートフォン、コンピュータ、タブレットコンピュータ及びＧＰＳのうちのいずれか１つを包括することを特徴とする請求項６に記載のアレイアンテナ通信システムの制御方法。
【請求項８】
前記アレイアンテナモジュールは、回転制御ユニットと回転ユニットとをさらに含むことを特徴とする請求項６に記載のアレイアンテナ通信システムの制御方法。
【請求項９】
前記ビームフォーミング回路は、信号生成ユニットと処理ユニットと制御ユニットと信号受信ユニットとを含むことを特徴とする請求項６に記載のアレイアンテナ通信システムの制御方法。
【請求項１０】
前記処理ユニットは、コンピュータ、単一チップ及び組込み式システムのうちのいずれか１つであることを特徴とする請求項９に記載のアレイアンテナ通信システムの制御方法。
【発明の詳細な説明】
【技術分野】
【０００１】
本発明は、通信システム及びその方法に関し、特に、移動通信設備に用いられるアレイアンテナ通信システム及びその方法に関する。
【背景技術】
【０００２】
通信技術の発展につれ、アンテナアレイは、データ伝送に用いられてきた。現行のアンテナアレイは、ＬＴＥ技術に使用されている。例えば、多様な通信或いは多機能通信がＬＴＥのアンテナアレイに使用されてきた。
【０００３】
アンテナアレイのアンテナ数は、１００個を超える可能性がある。アンテナアレイの通信は、多周波数多重化モード及び時分割複信モードに応用でき、多周波数多重化モードにおいて、大量のアンテナによりフィードバック負荷が生じるため、多周波数多重化モードにおいて、負荷を軽減することが非常に重要である。
【発明の概要】
【発明が解決しようとする課題】
【０００４】
上記従来技術の欠点に鑑み、本発明の主な目的は、該移動通信設備で生成された位置信号を受信することによって、対応の位相方向の通信信号を伝達することで、通信信号の品質向上の目的を達成するアレイアンテナ通信システム及びその方法を提供することである。
【課題を解決するための手段】
【０００５】
上記目的及びその他の目的を達成するため、本発明は、アレイアンテナモジュールとビームフォーミング回路とを含むアレイアンテナ通信システムを提供する。
【発明の効果】
【０００６】
前記アレイアンテナモジュールは複数のアレイ状に並べたアンテナユニットを包括し、該ビームフォーミング回路が複数の位置信号、複数の位相制御信号を受信すると共に複数の出力信号を伝達するために用いられ、該位置信号で生成された対応の制御信号を受信することによって、該アレイアンテナモジュールの対応のアンテナユニットを制御して、該アンテナユニットを対応の位相位置に移動させ、また複数の出力信号を伝達することで、通信信号の品質向上の目的を達成する。
【図面の簡単な説明】
【０００７】
【図１】アレイアンテナ通信システムを示す模式図である。
【図２】アレイアンテナ通信システム制御方法を示す模式図である。
【発明を実施するための形態】
【０００８】
以下、特定の具体的実例を通じて本発明の実施形態を説明し、当業者は本明細書に開示されている内容から本発明の利点及び効果を容易に理解できる。
【０００９】
まず図１を参照すると、本発明の一実施例に係るアレイアンテナ通信システムを示す模式図である。
【００１０】
図１に示すように、アレイアンテナ通信システムは、スマートフォン、コンピュータ、タブレットコンピュータ及びＧＰＳのうちのいずれか１つを包括する移動通信設備１で生成された位置信号を受信することによって、対応の位相方向の通信信号を伝達する通信システムである。該システムは、回転制御ユニットと、複数のアレイ状に並べたアンテナユニットを備える回転ユニットとをさらに含むアレイアンテナモジュール２と、信号生成ユニット３１と、コンピュータ、単一チップ及び組込み式システムのうちのいずれか１つの処理ユニット３２と、制御ユニット３３と信号受信ユニット３４とを含むビームフォーミング回路３と、を包括する。該信号受信ユニット３４は、複数の位置信号、複数の位相制御信号を受信すると共に複数の出力信号を伝達し、該位置信号を受信することによって対応の制御信号を生成して該アレイアンテナモジュール２の対応のアンテナユニットを制御し、該アンテナユニットを対応の位相位置に移動させ、また複数の出力信号を伝達することで通信信号の品質向上の目的を達成する。
【００１１】
図２に示すように、アレイアンテナ通信システムの制御方法は、スマートフォン、コンピュータ、タブレットコンピュータ及びＧＰＳのうちのいずれか１つを包括する移動通信設備１で生成された位置信号を受信することによって、対応の位相方向の通信信号を伝達する通信システムの制御方法である。該方法は、ビームフォーミング回路Ｓ１を提供し、該位置信号を受信することによって対応の制御信号を生成するステップと、回転制御ユニットと回転ユニットとをさらに含むアレイアンテナモジュールＳ２を提供し、該制御信号を受信して該アンテナユニットを制御して対応の位相位置に移動させ、信号生成ユニットと、コンピュータ、単一チップ及び組込み式システムのうちのいずれか１つの処理ユニットと、制御ユニットと、信号受信ユニットとを含む該ビームフォーミング回路で出力信号を生成し、該アレイアンテナモジュールを通じて該出力信号を伝達することで、通信信号の品質向上の目的を達成するステップと、を包括する。
【００１２】
以上に述べた実施例は、あくまでも本発明の特徴及び効果を明らかにするものであって、本発明の実質的な技術内容を限定することはなく、当業者が本発明の精神から逸脱することなく上記実施例を改良と変形できる。よって、本発明の保護範囲は、後記の特許請求の範囲に記載されている通りとする。
【符号の説明】
【００１３】
１    移動通信設備
２    アレイアンテナモジュール
３    ビームフォーミング回路
３１  信号生成ユニット
３２  処理ユニット
３３  制御ユニット
３４  信号受信ユニット
Ｓ１〜Ｓ２  アレイアンテナ通信システム制御方法の流れ
【図１】
2019016901.tif 000003
【図２】
2019016901.tif 000004
【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
アレイアンテナ通信システムであって、
複数のアレイ状に並べたアンテナユニットを包括するアレイアンテナモジュールと、
前記アレイアンテナ通信システムから離れた移動通信設備によって生成された位置信号を受信し、前記アレイアンテナモジュールに対する制御信号を生成すると共に、前記アンテナユニットを介して、それぞれ、前記移動通信設備に対して複数の出力信号を伝達するために用いられ、前記位置信号に含まれる前記移動通信設備の位置情報に応じて前記制御信号を生成し、前記アンテナユニットが前記制御信号に応じて前記移動通信設備の方へ位置付けられるビームフォーミング回路と、を含むことを特徴とするアレイアンテナ通信システム。
【請求項２】
前記移動通信設備は、スマートフォン、コンピュータ、タブレットコンピュータまたはＧＰＳであることを特徴とする請求項１に記載のアレイアンテナ通信システム。
【請求項３】
前記アレイアンテナモジュールは、前記アンテナユニットに取り付けられて前記ビームフォーミング回路と電子的に結合された回転ユニットをさらに含み、前記回転ユニットは、前記制御信号に応じて、前記アンテナユニットを前記移動通信設備の方へ回転させることを特徴とする請求項１に記載のアレイアンテナ通信システム。
【請求項４】
前記ビームフォーミング回路は、前記制御信号を生成する処理ユニットと前記位置信号を受信する信号受信ユニットとを含むことを特徴とする請求項１に記載のアレイアンテナ通信システム。
【請求項５】
前記処理ユニットは、コンピュータ、単一チップまたは組込み式システムであることを特徴とする請求項４に記載のアレイアンテナ通信システム。
【請求項６】
アレイアンテナモジュールおよびビームフォーミング回路を含むアレイアンテナ通信システムの制御方法であって、
前記アレイアンテナ通信システムから離れた移動通信設備から位置信号を受信するステップと、
前記位置信号に含まれる前記移動通信設備の位置情報に応じて制御信号を生成するステップと、
前記制御信号に応じてアンテナユニットを前記移動通信設備の方へ位置付けるステップと、を含むことを特徴とするアレイアンテナ通信システムの制御方法。
【請求項７】
前記移動通信設備は、スマートフォン、コンピュータ、タブレットコンピュータまたはＧＰＳであることを特徴とする請求項６に記載のアレイアンテナ通信システムの制御方法。
【請求項８】
前記アレイアンテナモジュールは、前記アンテナユニットに取り付けられて前記ビームフォーミング回路と電子的に結合された回転ユニットをさらに含み、前記回転ユニットは、前記制御信号に応じて、前記アンテナユニットを前記移動通信設備の方へ回転させることを特徴とする請求項６に記載のアレイアンテナ通信システムの制御方法。
【請求項９】
前記ビームフォーミング回路は、前記制御信号を生成する処理ユニットと前記位置信号を受信する信号受信ユニットとを含むことを特徴とする請求項６に記載のアレイアンテナ通信システムの制御方法。
【請求項１０】
前記処理ユニットは、コンピュータ、単一チップまたは組込み式システムであることを特徴とする請求項９に記載のアレイアンテナ通信システムの制御方法。
【手続補正２】
【補正対象書類名】明細書
【補正対象項目名】０００４
【補正方法】変更
【補正の内容】
【０００４】
上記従来技術の欠点に鑑み、本発明の主な目的は、該移動通信設備で生成された位置信号を受信することによって、対応の位相（角度）方向の通信信号を伝達することで、通信信号の品質向上の目的を達成するアレイアンテナ通信システム及びその方法を提供することである。
【手続補正３】
【補正対象書類名】明細書
【補正対象項目名】０００６
【補正方法】変更
【補正の内容】
【０００６】
前記アレイアンテナモジュールは複数のアレイ状に並べたアンテナユニットを包括し、該ビームフォーミング回路が複数の位置信号、複数の位相（角度）制御信号を受信すると共に複数の出力信号を伝達するために用いられ、該位置信号で生成された対応の制御信号を受信することによって、該アレイアンテナモジュールの対応のアンテナユニットを制御して、該アンテナユニットを対応の位相（角度）位置に移動させ、また複数の出力信号を伝達することで、通信信号の品質向上の目的を達成する。
【手続補正４】
【補正対象書類名】明細書
【補正対象項目名】００１０
【補正方法】変更
【補正の内容】
【００１０】
図１に示すように、アレイアンテナ通信システムは、スマートフォン、コンピュータ、タブレットコンピュータ及びＧＰＳのうちのいずれか１つを包括する移動通信設備１で生成された位置信号を受信することによって、対応の位相（角度）方向の通信信号を伝達する通信システムである。該システムは、回転制御ユニットと、複数のアレイ状に並べたアンテナユニットを備える回転ユニットとをさらに含むアレイアンテナモジュール２と、信号生成ユニット３１と、コンピュータ、単一チップ及び組込み式システムのうちのいずれか１つの処理ユニット３２と、制御ユニット３３と信号受信ユニット３４とを含むビームフォーミング回路３と、を包括する。該信号受信ユニット３４は、複数の位置信号、複数の位相（角度）制御信号を受信すると共に複数の出力信号を伝達し、該位置信号を受信することによって対応の制御信号を生成して該アレイアンテナモジュール２の対応のアンテナユニットを制御し、該アンテナユニットを対応の位相（角度）位置に移動させ、また複数の出力信号を伝達することで通信信号の品質向上の目的を達成する。
【手続補正５】
【補正対象書類名】明細書
【補正対象項目名】００１１
【補正方法】変更
【補正の内容】
【００１１】
図２に示すように、アレイアンテナ通信システムの制御方法は、スマートフォン、コンピュータ、タブレットコンピュータ及びＧＰＳのうちのいずれか１つを包括する移動通信設備１で生成された位置信号を受信することによって、対応の位相（角度）方向の通信信号を伝達する通信システムの制御方法である。該方法は、ビームフォーミング回路Ｓ１を提供し、該位置信号を受信することによって対応の制御信号を生成するステップと、回転制御ユニットと回転ユニットとをさらに含むアレイアンテナモジュールＳ２を提供し、該制御信号を受信して該アンテナユニットを制御して対応の位相（角度）位置に移動させ、信号生成ユニットと、コンピュータ、単一チップ及び組込み式システムのうちのいずれか１つの処理ユニットと、制御ユニットと、信号受信ユニットとを含む該ビームフォーミング回路で出力信号を生成し、該アレイアンテナモジュールを通じて該出力信号を伝達することで、通信信号の品質向上の目的を達成するステップと、を包括する。